(57)【要約】【課題】回路面積を減少し得るＳＴＮ液晶表示パネルの駆動回路を提供する。【解決手段】ＳＴＮ液晶表示パネルの駆動回路において、複数の電源電圧が入力されて、第１及び第２駆動電圧ラインの内いずれかに、選択された電源電圧を供給するための少なくとも１つ以上の電源供給手段４００と、第１及び第２駆動電圧ラインと接続されており第１及び第２駆動電圧レベル制御信号に応答して電極を駆動するための少なくとも１つ以上の駆動手段４１０、４２０とを備える。【選択図】図４
2004240408.tif 000002
【特許請求の範囲】
【請求項１】
ＳＴＮ液晶表示パネルの駆動回路において、
複数の電源電圧が入力されて、第１及び第２駆動電圧ラインの内いずれかに、選択された電源電圧を供給するための少なくとも１つ以上の電源供給手段と、
第１及び第２駆動電圧ラインと接続されており第１及び第２駆動電圧レベル制御信号に応答して電極を駆動するための少なくとも１つ以上の駆動手段とを備えることを特徴とするＳＴＮ液晶表示パネルの駆動回路。
【請求項２】
前記駆動手段は、第１駆動電圧ラインに印加された選択された電源電圧を電極に供給するため、第１駆動電圧レベル制御信号により制御される第１トランジスタと、
第２駆動電圧ラインに印加された選択された電源電圧を電極に供給するため、第２駆動電圧レベル制御信号により制御される第２トランジスタとを備えることを特徴とする請求項１に記載のＳＴＮ液晶表示パネルの駆動回路。
【請求項３】
前記電源供給手段は、複数の電源電圧を供給するための複数の電圧フォロワと、
少なくとも２つ以上の電源電圧を複数の電圧フォロワから入力し電源選択信号に応答して選択された電源電圧を、第１及び第２駆動電源ラインのうち、いずれかに出力するための多重化手段とを備えることを特徴とする請求項１に記載のＳＴＮ液晶表示パネルの駆動回路。
【請求項４】
前記電源供給手段は、複数の電源電圧が入力され電源選択信号に応答して選択された電源電圧を出力するための多重化手段と、
選択された電源電圧を第１及び第２駆動電圧ラインのうち、いずれかに供給するための複数の電圧フォロワとを備えることを特徴とする請求項１に記載のＳＴＮ液晶表示パネルの駆動回路。
【請求項５】
ＳＴＮ液晶表示パネルの駆動回路において、
複数の第１電源電圧が供給され、第１選択電圧を第１及び第２駆動電源ラインのうち、いずれかに供給するための複数の第１電源供給手段と、
複数の第２電源電圧が供給され、第２選択電圧を第３及び第４駆動電源ラインのうち、いずれかに供給するための複数の第２電源供給手段と、
第１及び第２駆動電源ラインに接続され、第１及び第２駆動電圧レベル制御信号に応答してセグメント電極ラインを駆動するための複数のセグメント電極ライン単位駆動手段と、
第３及び第４駆動電源ラインに接続され、第３及び第４駆動電圧レベル制御信号に応答して共通電極ラインを駆動するための複数の共通電極ライン単位駆動手段とを備えることを特徴とするＳＴＮ液晶表示パネルの駆動回路。
【請求項６】
前記第１電源供給手段は、複数の第１電源電圧を供給するための複数の電圧フォロワと、
前記複数の第１電源電圧が入力され、第１電源選択信号により選択された第１選択電圧を前記第１及び第２駆動電源ラインのうち、いずれかに出力するための多重化手段とを備えることを特徴とする請求項５に記載のＳＴＮ液晶表示パネルの駆動回路。
【請求項７】
前記第２電源供給手段は、複数の第２電源電圧を供給するための複数の電圧フォロワと、
前記複数の第２電源電圧が入力され、第２電源選択信号により選択された第２選択電圧を前記第３及び第４駆動電源ラインのうち、いずれかに出力するための多重化手段とを備えることを特徴とする請求項５に記載のＳＴＮ液晶表示パネルの駆動回路。
【請求項８】
前記第１電源供給手段は、複数の第１電源電圧が入力され第１電源選択信号に応答して、選択された第１選択電圧を出力するための多重化手段と、
前記第１選択電圧を第１及び第２駆動電圧ラインのうち、いずれかに伝送するための複数の電圧フォロワとを備えることを特徴とする請求項５に記載のＳＴＮ液晶表示パネルの駆動回路。
【請求項９】
前記第２電源供給手段は、複数の第２電源電圧が入力され第２電源選択信号に応答して、選択された第２選択電圧を出力するための多重化手段と、
前記第２選択電圧を第３及び第４駆動電圧ラインのうち、いずれかに伝送するための複数の電圧フォロワとを備えることを特徴とする請求項５に記載のＳＴＮ液晶表示パネルの駆動回路。
【請求項１０】
前記第１駆動手段は、第１駆動電圧レベル制御信号により制御されて、第１駆動電圧ラインに印加された第１選択電圧をセグメント電極ラインに供給するための第１電極駆動器と、
第２駆動電圧レベル制御信号により制御されて、第２駆動電圧ラインに印加された第１選択電圧をセグメント電極ラインに供給するための第２電極駆動器とを備えることを特徴とする請求項５に記載のＳＴＮ液晶表示パネルの駆動回路。
【請求項１１】
前記第１電極駆動器は、ゲートが第１駆動電圧レベル制御信号に接続されており、第１駆動電圧ラインに印加された第１選択電圧を出力するための第１ＭＯＳトランジスタを含むことを特徴とする請求項１０に記載のＳＴＮ液晶表示パネルの駆動回路。
【請求項１２】
前記第２電極駆動器は、ゲートが第２駆動電圧レベル制御信号に接続されており、第２駆動電圧ラインに印加された第１選択電圧を出力するための第２ＭＯＳトランジスタを含むことを特徴とする請求項１０に記載のＳＴＮ液晶表示パネルの駆動回路。
【請求項１３】
前記第２駆動手段は、第３駆動電圧レベル制御信号により制御されて、第３駆動電圧ラインに印加された第２選択電圧をセグメント電極ラインに供給するための第３電極駆動器と、
第４駆動電圧レベル制御信号により制御されて、第４駆動電圧ラインに印加された第２選択電圧をセグメント電極ラインに供給するための第４電極駆動器とを備えることを特徴とする請求項５に記載のＳＴＮ液晶表示パネルの駆動回路。
【請求項１４】
前記第３電極駆動器は、ゲートが第３駆動電圧レベル制御信号に接続されており、第３駆動電圧ラインに印加された第２選択電圧を出力するための第３ＭＯＳトランジスタを含むことを特徴とする請求項１３に記載のＳＴＮ液晶表示パネルの駆動回路。
【請求項１５】
前記第４電極駆動器は、ゲートが第４駆動電圧レベル制御信号に接続されており、第４駆動電圧ラインに印加された第２選択電圧を出力するための第４ＭＯＳトランジスタを含むことを特徴とする請求項１３に記載のＳＴＮ液晶表示パネルの駆動回路。
【発明の詳細な説明】
【技術分野】
【０００１】
本発明は平板ディスプレイ技術に関し、特に、ＬＣＤ（Ｌｉｑｕｉｄ  Ｃｒｙｓｔａｌ  Ｄｉｓｐｌａｙ）パネルの駆動技術、さらに詳細にはＳＴＮ（Ｓｕｐｅｒ  Ｔｗｉｓｔｅｄ  Ｎｅｍａｔｉｃ）ＬＣＤパネルの駆動回路に関する。
【背景技術】
【０００２】
ＳＴＮ  ＬＣＤパネルは液晶分子が光を適切に反射できるように照らしながら、スクリーン上に文字及び絵を表現する平板ディスプレイの一つである。この液晶分子を化学用語でネマティックといい、ＳＴＮ  ＬＣＤパネルは主に電子計算機や移動電話のディスプレイのように簡単な数字や文字を表示する単純な画像ディスプレイとして用いられている。ＳＴＮ  ＬＣＤパネルは白黒反転を基本概念とするが、これはテキストモードで白地に黒色文字を表すか黒地に白色文字を表すなど可視性を高めることができる（例えば、特許文献１参照）。
【０００３】
図１は、一般的なＳＴＮ  ＬＣＤパネルのセルアレイ構造を示す回路図である。
図１を参照すると、ＳＴＮ  ＬＣＤパネルは液晶セルＣＬＣがマトリックス構造に配列され、各々の液晶セルＣＬＣは共通電極ラインＣＯＭ０、ＣＯＭ１、ＣＯＭ２、・・・とセグメント電極ラインＳＥＧ０、ＳＥＧ１、ＳＥＧ２、・・・に接続されている。液晶セルＣＬＣはキャパシタの両極板間に液晶が満たされた状態であり、両極板に共通電極ラインパルスとセグメント電極ラインパルスとが伝送されて電界が形成されると、液晶が一定の方向性を有するようになる原理で駆動される。
【０００４】
図２は、従来の技術に係るＳＴＮ  ＬＣＤパネル駆動回路を示す回路図である。
図２を参照すると、従来のＳＴＮ  ＬＣＤパネル駆動回路は、駆動電源部１１０と、共通電極ライン駆動部１２０と、セグメント電極ライン駆動部１３０とから構成される。ここで、駆動電源部１１０は、各々異なるレベルを有する直流電源Ｖ０、Ｖ１、Ｖ２、Ｖ３、Ｖ４と、各直流電源を入力とする複数の電圧フォロワ（ｖｏｌｔａｇｅ  ｆｏｌｌｏｗｅｒ）とを備える。また、共通電極ライン駆動部１２０及びセグメント電極ライン駆動部１３０は各々の電極に対応する複数個の単位ドライバーから構成される。
【０００５】
セグメント電極ライン駆動部１２０を構成する複数の単位ドライバーのうち、最初セグメント電極ラインＳＥＧ０を駆動するための単位ドライバー１２５は、Ｖ０電源が印加されるセグメント電極ライン駆動電源ラインとセグメント電極ラインＳＥＧ０との間に接続され、駆動電圧レベル制御信号Ｓ０１をゲート入力とするＰＭＯＳトランジスタと、Ｖ３電源が印加されるセグメント電極ライン駆動電源ラインとセグメント電極ラインＳＥＧ０との間に接続され、駆動電圧レベル制御信号Ｓ０３をゲート入力とするＮＭＯＳトランジスタと、Ｖ２電源が印加されるセグメント電極ライン駆動電源ラインとセグメント電極ラインＳＥＧ０との間に接続され、駆動電圧レベル制御信号Ｓ０２をゲート入力とするＰＭＯＳトランジスタと、基準電源Ｖｓｓとセグメント電極ラインＳＥＧ０との間に接続され、駆動電圧レベル制御信号Ｓ０４をゲート入力とするＮＭＯＳトランジスタを備える。セグメント電極ライン駆動部１２０の残りの単位ドライバーも他の駆動電圧レベル制御信号が印加されるのみで、上述した単位ドライバー１２５の構成と同じ素子構成を有する。
【０００６】
また、共通電極ライン駆動部１３０を構成する複数の単位ドライバーのうち、最初共通電極ラインＣＯＭ０を駆動するための単位ドライバー１３５は、Ｖ０電源が印加される共通電極ライン駆動電源ラインと共通電極ラインＣＯＭ０との間に接続され、駆動電圧レベル制御信号Ｃ０１をゲート入力とするＰＭＯＳトランジスタと、Ｖ４電源が印加される共通電極ライン駆動電源ラインと共通電極ラインＣＯＭ０との間に接続され、駆動電圧レベル制御信号Ｃ０３をゲート入力とするＮＭＯＳトランジスタと、Ｖ１電源が印加される共通電極ライン駆動電源ラインと共通電極ラインＣＯＭ０との間に接続され、駆動電圧レベル制御信号Ｃ０２をゲート入力とするＰＭＯＳトランジスタと、基準電源Ｖｓｓと共通電極ラインＣＯＭ０との間に接続され、駆動電圧レベル制御信号Ｃ０４をゲート入力とするＮＭＯＳトランジスタとを備える。共通電極ライン駆動部１３０の他の単位ドライバーも他の駆動電圧レベル制御信号が印加されるのみで、上述した単位ドライバー１３５の構成と同じ素子構成を有する。
【０００７】
セグメント電極ライン駆動部１２０及び共通電極ライン駆動部１３０を構成する各単位ドライバーは駆動電圧レベル制御信号に応答して、その各々に対応する電極に四つのレベルの駆動電圧を選択的に供給する。
ＳＴＮ  ＬＣＤパネル駆動回路で用いられる電圧レベルはＶ０、Ｖ１、Ｖ２、Ｖ３、Ｖ４、Ｖｓｓの六つのレベルであり、電圧レベルはＶ０が最も高く、Ｖｓｓが最も低い。セグメント電極ライン駆動部１２０はＶ０、Ｖ２、Ｖ３、Ｖｓｓを使用し、共通電極ライン駆動部１３０はＶ０、Ｖ１、Ｖ４、Ｖｓｓを使用する。
【０００８】
図３は、従来のＳＴＮ  ＬＣＤパネルのディスプレイの例に係る電極駆動パルスのタイミングチャートである。
図３の右上側に示されている図は、マトリックス構造の各セルをオン／オフさせて、文字（またはグラフィック）を実現させており、図面において“■”で表示されたセルが活性化されたセルである。
【０００９】
このようなＳＴＮ  ＬＣＤパネルのディスプレイ状態を実現するための電極駆動パルスの波形を述べると、上述したように共通電極ライン駆動電圧レベルがＶ０、Ｖ１、Ｖ４、Ｖｓｓの四つの電圧レベルのみを用いる。第１フレームでは共通電極ライン駆動電圧レベルがＶｓｓである場合共通電極ラインが選択され、Ｖ１である場合選択されず、第２フレームでは共通電極ライン駆動電圧レベルがＶ０である場合選択され、Ｖ４である場合選択されない。各々のフレームで第１共通電極ラインからｎ番目の共通電極ラインまで順に選択され、その時ごとに各々の共通ラインと交差するｍ個のセグメント電極ラインには二つの電圧が印加される。この場合、セグメント電極ラインに印加される電圧によって画素がターンオンされるか、ターンオフされる。ここで、ｎとｍは自然数であり、共通電極ラインの数及びセグメント電極ラインの数を意味する。
【００１０】
一方、第１フレームと第２フレームにおける共通電極ライン駆動電圧波形は互いに上下対称をなすが、これは液晶セルをフレームごとに反対極性の信号に制御することによって、固定された極性の制御信号で駆動する場合に発生する液晶セルの急速な疲労現象を防止するためである。
このような駆動形態は、セグメント電極ライン駆動電圧波形でも類似している。但し、セグメント電極ラインはＶ０、Ｖ２、Ｖ３、Ｖｓｓ電圧レベルのみを使用して駆動され、Ｖ０、Ｖｓｓである場合、液晶セルがターンオンされ、Ｖ２、Ｖ３である場合ターンオフされる。
【００１１】
このような従来のＳＴＮ  ＬＣＤパネル駆動装置は、セグメント電極ライン駆動部１２０及び共通電極ライン駆動部１３０を構成する複数の単位ドライバーが各々４個の電源を選択するための４個のＭＯＳトランジスタから構成されている。したがって、駆動チャネルの数が多い場合には駆動回路が大きくなり、それによる面積上の損失が大きい問題点があった。このような問題点は駆動回路を集積回路化する場合、さらに深刻となる。
【００１２】
【特許文献１】特開平０８−１６６７７４号公報
【発明の開示】
【発明が解決しようとする課題】
【００１３】
そこで、本発明は上記従来のＳＴＮ液晶表示パネルの駆動回路における問題点に鑑みてなされたものであって、本発明の目的は、回路面積を減少し得るＳＴＮ液晶表示パネルの駆動回路を提供することにある。
【課題を解決するための手段】
【００１４】
上記目的を達成するためになされた本発明によるＳＴＮ液晶表示パネルの駆動回路は、ＳＴＮ液晶表示パネルの駆動回路において、複数の電源電圧が入力されて、第１及び第２駆動電圧ラインの内いずれかに、選択された電源電圧を供給するための少なくとも１つ以上の電源供給手段と、第１及び第２駆動電圧ラインと接続されており第１及び第２駆動電圧レベル制御信号に応答して電極を駆動するための少なくとも１つ以上の駆動手段とを備えることを特徴とする。
【００１５】
また、上記目的を達成するためになされた本発明によるＳＴＮ液晶表示パネルの駆動回路は、ＳＴＮ液晶表示パネルの駆動回路において、複数の第１電源電圧が供給され、第１選択電圧を第１及び第２駆動電源ラインのうち、いずれかに供給するための複数の第１電源供給手段と、複数の第２電源電圧が供給され、第２選択電圧を第３及び第４駆動電源ラインのうち、いずれかに供給するための複数の第２電源供給手段と、第１及び第２駆動電源ラインに接続され、第１及び第２駆動電圧レベル制御信号に応答してセグメント電極ラインを駆動するための複数のセグメント電極ライン単位駆動手段と、第３及び第４駆動電源ラインに接続され、第３及び第４駆動電圧レベル制御信号に応答して共通電極ラインを駆動するための複数の共通電極ライン単位駆動手段とを備えることを特徴とする。
【発明の効果】
【００１６】
本発明によれば、ＳＴＮ  ＬＣＤパネル駆動回路の面積を従来に比べて５０％程度減少できるので、ＳＴＮ  ＬＣＤパネルを含む機器のサイズの縮小と共に、生産コストの低減ができるという効果がある。
【発明を実施するための最良の形態】
【００１７】
次に、本発明に係るＳＴＮ液晶表示パネルの駆動回路を実施するための最良の形態の具体例を図面を参照しながら説明する。
【実施例１】
【００１８】
図４は、本発明の第１の実施例に係るＳＴＮ  ＬＣＤパネル駆動回路を示す回路図である。
図４を参照すると、本発明の第１の実施例に係るＳＴＮ  ＬＣＤパネル駆動回路は、図２に示している従来の駆動回路と同様に駆動電源部４００と、セグメント電極ライン駆動部４１０と、共通電極ライン駆動部４２０とから構成される。しかし、本実施例では従来の駆動回路とは異なって、駆動電源部４００から電源をマルチプレックシングして供給することによって電極駆動電源ラインの数が減少され、これによって電極駆動部のドライバー数を低減できる。以下、本実施例に係るＳＴＮ  ＬＣＤパネル駆動回路の詳細構成を説明する。
【００１９】
まず、駆動電源部４００はセグメント電極ライン駆動のため、電源Ｖ０、Ｖ２、Ｖ３、Ｖｓｓと、各々直流電源Ｖ０、Ｖ３、Ｖ２が入力される電圧フォロワＶＦ１、ＶＦ２、ＶＦ３と、電圧フォロワＶＦ１及びＶＦ２の出力を入力とするマルチプレクサ４０２と、電圧フォロワＶＦ３及びＶｓｓを入力とするマルチプレクサ４０４とを備える。また、駆動電源部４００は共通電極ライン駆動のために電源Ｖ０、Ｖ１、Ｖ４、Ｖｓｓと、各々直流電源Ｖ０、Ｖ４、Ｖ１が入力される電圧フォロワＶＦ４、ＶＦ５、ＶＦ６と、電圧フォロワＶＦ４及びＶＦ５の出力を入力とするマルチプレクサ４０６と、電圧フォロワＶＦ６及びＶｓｓを入力とするマルチプレクサ４０８とを備える。
【００２０】
次いで、セグメント電極ライン駆動部４１０は、各セグメント電極ラインに対応して複数の単位ドライバーを備える。そのうち、最初のセグメント電極ラインＳＥＧ０を駆動するための単位ドライバー４１５の場合、駆動電源部４００のマルチプレクサ４０２の出力端に接続された第１セグメント電極ライン駆動電源ラインＶＡとセグメント電極ラインＳＥＧ０との間に接続され、セグメント電極ライン駆動電圧レベル制御信号Ｓ０１をゲート入力とするＰＭＯＳトランジスタと、駆動電源部４００のマルチプレクサ４０４の出力端に接続された第２セグメント電極ライン駆動電源ラインＶＢとセグメント電極ラインＳＥＧ０との間に接続され、セグメント電極ライン駆動電圧レベル制御信号Ｓ０２をゲート入力とするＮＭＯＳトランジスタを備える。一方、セグメント電極ライン駆動部４１０の残りの単位ドライバーもセグメント電極ライン駆動電圧レベル制御信号が異なるのみで、上述した単位ドライバー４１５の構成と同じ素子構成を有する。
【００２１】
そして、共通電極ライン駆動部４２０も各共通電極ラインに対応して複数の単位ドライバーを備える。そのうち、最初の共通電極ラインＣＯＭ０を駆動するための単位ドライバー４２５の場合、駆動電源部４００のマルチプレクサ４０６の出力端に接続された第１共通電極ライン駆動電源ラインＶＣと共通電極ラインＣＯＭ０との間に接続され、共通電極ライン駆動電圧レベル制御信号Ｃ０１をゲート入力とするＰＭＯＳトランジスタと、駆動電源部４００のマルチプレクサ４０８の出力端に接続された第２共通電極ライン駆動電源ラインＶＤと共通電極ラインＣＯＭ０との間に接続され、共通電極ライン駆動電圧レベル制御信号Ｃ０２をゲート入力とするＮＭＯＳトランジスタとを備える。一方、共通電極ライン駆動部４２０の残りの単位ドライバーも共通電極ライン駆動電圧レベル制御信号が異なるのみで、上述した単位ドライバー４２５の構成と同じ素子構成を有する。
【００２２】
以下、上述したように構成されたＳＴＮ  ＬＣＤパネル駆動回路の動作を述べる。
上述したように、セグメント電極ラインは、Ｖ０、Ｖ２、Ｖ３、Ｖｓｓの四つのレベルの駆動電源電圧で駆動される。もし、最初のセグメント電極ラインＳＥＧ０をＶ０で駆動するためには、マルチプレクサ４０２からＶ０を入力とする電圧フォロワＶＦ１の出力を選択して、第１セグメント電極ライン駆動電源ラインＶＡに出力する。電圧フォロワは入力抵抗が無限であり、利得は１であるため、その出力は入力と同じ電圧レベルを有する。すなわち、この場合、第１セグメント電極ライン駆動電源ラインＶＡの電圧レベルはＶ０となる。この場合、セグメント電極ライン駆動電圧レベル制御信号Ｓ０１が論理レベルローに活性化されると、最初のセグメント電極ラインＳＥＧ０をＶ０で駆動できるようになる。
【００２３】
一方、最初のセグメント電極ラインＳＥＧ０をＶ３で駆動するためには、マルチプレクサ４０２からＶ３を入力とする電圧フォロワＶＦ２の出力を選択して、第１セグメント電極ライン駆動電源ラインＶＡに出力し、セグメント電極ライン駆動電圧レベル制御信号Ｓ０１を論理レベルハイに活性化させる。
これと同様な方式で、セグメント電極ラインをＶ２、Ｖｓｓなどで駆動できる。
【００２４】
一方、共通電極ラインはＶ０、Ｖ１、Ｖ４、Ｖｓｓの四つのレベルの駆動電源電圧で駆動される。もし、最初の共通電極ラインＣＯＭ０をＶ０で駆動するためには、マルチプレクサ４０６からＶ０を入力とする電圧フォロワＶＦ４の出力を選択して、第１共通電極ライン駆動電源ラインＶＣに出力し、共通電極ライン駆動電圧レベル制御信号Ｃ０１を論理レベルローに活性化させる。また、マルチプレクサ４０６からＶ１を入力とする電圧フォロワＶＦ５の出力を選択し、共通電極ライン駆動電圧レベル制御信号Ｃ０２を論理レベルハイに活性化させると、最初の共通電極ラインＣＯＭ０をＶ１で駆動できる。
また、セグメント電極ラインをＶ１、Ｖｓｓなどで駆動する場合にも上述した方式と同じ方式が適用される。
【００２５】
各々のフレームで第１共通電極ラインからｎ番目の共通電極ラインまで順に選択され、その時ごとに各々の共通ラインと交差するｍ個のセグメント電極ラインには２つの電圧が印加される。この場合、セグメント電極ラインに印加される電圧によって画素がターンオンされるか、ターンオフされる。ここで、ｎとｍは自然数であり共通電極ラインの数及びセグメント電極ラインの数を意味する。
【００２６】
参考に、駆動電源部４００のマルチプレクサ４０２、４０４、４０６、４０８は、各々の電源選択信号Ｆ１〜Ｆ４に応答して電源電圧をスイッチングでき、電源回路自体を遮断できるものである。
セグメント電極ライン駆動部４１０及び共通電極ライン駆動部４２０を構成する各単位ドライバーは駆動電圧レベル制御信号に応答して、その各々に対応する電極に四つのレベルの駆動電圧を選択的に供給する。
【００２７】
上述したような本発明の第１の実施例によると、１つの電極駆動電源ラインに２つの電源を選択的に印加できるようにすることによって、電極駆動電源ラインの数を低減し、電極ドライバーの数を低減させて、駆動回路の面積を大幅に減少することができる。具体的には、図２に示されている従来の技術と比較すると、電極駆動電源ラインの数は総６個から４個に、単位電極ドライバートランジスタの数は４個から２個に低減できるので、５０％程度の回路面積を低減できると期待される。このような長所は電極の数が多くなるほど一層重要となる。
【実施例２】
【００２８】
図５は、本発明の第２の実施例に係る駆動電源部５００の回路図である。
図５を参照すると、本発明の第２の実施例に係る駆動電源部５００は、セグメント電極ライン及び共通電極ライン駆動のために電源Ｖ０、Ｖ１、Ｖ２、Ｖ３、Ｖ４、Ｖｓｓを備え、各々直流電源Ｖ０、Ｖ３、Ｖ２、Ｖ１、Ｖ４が入力される電圧フォロワＶＦ１、ＶＦ２、ＶＦ３、ＶＦ４、ＶＦ５と、電圧フォロワＶＦ１及びＶＦ２の出力を入力とするマルチプレクサＭＵＸ５０２と、電圧フォロワＶＦ３及びＶｓｓを入力とするマルチプレクサＭＵＸ５０４と、電圧フォロワＶＦ１及びＶＦ４の出力を入力とするマルチプレクサＭＵＸ５０６と、電圧フォロワＶＦ５及びＶｓｓを入力とするマルチプレクサＭＵＸ５０８とを備える。
【００２９】
すなわち、本実施例に係る駆動電源部５００はセグメント電極ラインを駆動するためのＶ０と共通電極ラインを駆動するためのＶ０を別に備えずに共有するものである。このような共有が可能なことは図３のタイミングチャートにも示されているように、セグメント電極ラインと共通電極ラインとを同時にＶ０で駆動する場合がなく、またそのような場合があるとしても電源供給能力を調整すると、動作上に問題がないためである。この場合、動作原理は上述した第１の実施例と同じであり、電圧フォロワの数を１つほど低減できるという長所がある。
【実施例３】
【００３０】
図６は、本発明の第３の実施例に係る駆動電源部６００の回路図である。
図６を参照すると、本発明の第３の実施例に係る駆動電源部６００はセグメント電極ライン駆動のために電源Ｖ０、Ｖ２、Ｖ３、Ｖｓｓと、電源Ｖ０及びＶ３を入力とするマルチプレクサ６０２と、Ｖ２及びＶｓｓを入力とするマルチプレクサ６０４と、マルチプレクサ６０２の出力を入力とする電圧フォロワＶＦ１と、マルチプレクサ６０４の出力を入力とする電圧フォロワＶＦ２とを備える。また、駆動電源部６００は共通電極ライン駆動のために電源Ｖ０、Ｖ１、Ｖ４、Ｖｓｓと、電源Ｖ０及びＶ４を入力とするマルチプレクサ６０６と、Ｖ１及びＶｓｓを入力とするマルチプレクサ６０８と、マルチプレクサ６０８の出力を入力とする電圧フォロワＶＦ３と、マルチプレクサ６０８の出力を入力とする電圧フォロワＶＦ４とを備える。
【００３１】
すなわち、本実施例に係る駆動電源部６００は、上述した第１の実施例及び第２の実施例とは異なりマルチプレクサを電圧フォロワの前段に配置したものである。この場合、動作原理は上述した第１の実施例と同じであり、電圧フォロワの数を２つほど低減できるという長所がある。
【００３２】
また、例えば、上述した実施例ではセグメント電極ライン駆動電源としてＶ０、Ｖ２、Ｖ３、Ｖｓｓを使用し、共通電極ライン駆動電源としてＶ０、Ｖ１、Ｖ４、Ｖｓｓを使用する場合を例として説明したが、必要によって駆動電源の数が加減される場合には具体的な回路の構成の変更が可能である。
【００３３】
尚、本発明は、上述の実施例に限られるものではない。本発明の技術的範囲から逸脱しない範囲内で多様に変更実施することが可能である。
【図面の簡単な説明】
【００３４】
【図１】一般的なＳＴＮ  ＬＣＤパネルのセルアレイ構造を示す回路図である。
【図２】従来の技術に係るＳＴＮ  ＬＣＤパネル駆動回路を示す回路図である。
【図３】従来のＳＴＮ  ＬＣＤパネルのディスプレイの例に係る電極駆動パルスのタイミングチャートである。
【図４】本発明の第１の実施例に係るＳＴＮ  ＬＣＤパネル駆動回路を示す回路図である。
【図５】本発明の第２の実施例に係る駆動電源部の回路図である。
【図６】本発明の第３の実施例に係る駆動電源部の回路図である。
【符号の説明】
【００３５】
４００、５００、６００    駆動電源部
４０２、４０４、４０６、４０８、５０２、５０４、５０６、５０８、６０２、６０４、６０６、６０８            マルチプレクサ
４１０            セグメント電極ライン駆動部
４１５            セグメント電極ライン駆動部単位ドライバー
４２０            共通電極ライン駆動部
４２５            共通電極ライン駆動部単位ドライバー
【図１】
2004240408.tif 000003
【図２】
2004240408.tif 000004
【図３】
2004240408.tif 000005
【図４】
2004240408.tif 000006
【図５】
2004240408.tif 000007
【図６】
2004240408.tif 000008